(57)【特許請求の範囲】
【請求項１】
光通信装置に取り付けられる光モジュールであって、
光素子収容部を有する下筐体と、
前記光素子収容部の開口を閉塞する上筐体と、
前記下筐体と前記上筐体とを互いに回動自在に連結することで、前記光素子収容部と前記上筐体とを互いに離間自在とし、前記光素子収容部の開口を開放自在とする連結部と、
前記下筐体と前記上筐体とに互いにスライドする方向の力を付加するスライド力付加手段と、を備え、
前記連結部は、前記下筐体及び前記上筐体の一方の筐体に連設された軸部と、前記下筐体及び前記上筐体の他方の筐体に連設され、前記軸部に回動自在に係合する軸受部と、を有し、
前記軸受部には、前記スライド力付加手段が付加した力によって前記軸部を押圧し、前記下筐体と前記上筐体とを互いに押し付ける分力を生じる押圧面が形成されていることを特徴とする光モジュール。
【請求項２】
前記押圧面は、平面であることを特徴とする請求項１記載の光モジュール。
【請求項３】
前記下筐体及び前記上筐体に外側から装着され、前記下筐体及び前記上筐体とと前記光通信装置の光モジュール取付部とを互いに導通させる導通部材を更に備え、
前記スライド力付加手段は、前記導通部材に設けられていることを特徴とする請求項１又は２記載の光モジュール。
【請求項４】
前記導通部材は、前記下筐体及び前記上筐体と前記光通信装置の前記光モジュール取付部との間に挟まれて弾性変形し、弾性変形の反力により、前記下筐体と前記上筐体とを互いに押し付けるフィンガー部を有することを特徴とする請求項３記載の光モジュール。
【発明の詳細な説明】
【技術分野】
【０００１】
本発明は、例えば発光素子や受光素子等の光素子を有し、光通信装置に取り付けられる光モジュールに関する。
【背景技術】
【０００２】
従来の光モジュールとしては、光素子収容部を有する下筐体と、光素子収容部の開口を閉塞する上筐体と、を備えたものが知られている（例えば、特許文献１参照）。
【先行技術文献】
【特許文献】
【０００３】
【特許文献１】ＵＳ  Ｐａｔｅｎｔ  Ｎｏ．７，３５１，０９０
【発明の概要】
【発明が解決しようとする課題】
【０００４】
上記光モジュールでは、光素子収容部内で生じたノイズが、光素子収容部と上筐体との間の隙間を通り、下筐体及び上筐体の外に放射される。このため、光モジュールの放射ノイズを十分に抑制できない場合がある。
【０００５】
本発明の目的は、放射ノイズを十分に抑制することができる光モジュールを提供することである。
【課題を解決するための手段】
【０００６】
本発明に係る光モジュールは、光通信装置に取り付けられる光モジュールであって、光素子収容部を有する下筐体と、光素子収容部の開口を閉塞する上筐体と、下筐体と上筐体とを互いに回動自在に連結することで、光素子収容部と上筐体とを互いに離間自在とし、光素子収容部の開口を開放自在とする連結部と、下筐体と上筐体とに互いにスライドする方向の力を付加するスライド力付加手段と、を備え、連結部は、下筐体及び上筐体の一方の筐体に連設された軸部と、下筐体及び上筐体の他方の筐体に連設され、軸部に回動自在に係合する軸受部と、を有し、軸受部には、スライド力付加手段が付加した力によって軸部を押圧し、下筐体と上筐体とを互いに押し付ける分力を生じる押圧面が形成されていることを特徴とする。
【０００７】
このような光モジュールでは、スライド力付加手段により、下筐体と上筐体とに互いにスライドする方向の力が付加されると、下筐体と上筐体との連結部において軸部が軸受部の押圧面から押圧され、下筐体と上筐体とを互いに押し付ける分力が生じる。このため、下筐体と上筐体とが互いに押し付けられ、光素子収容部と上筐体との隙間が小さくなる。従って、光モジュールの放射ノイズを十分に抑制することができる。
【０００８】
好ましくは、押圧面は、平面である。この場合、寸法ばらつきにより、光モジュールの個体ごとに軸部と軸受部との相対位置がばらついても、押圧面の角度が安定し、下筐体と上筐体とを互いに押し付ける分力が安定する。このため、光素子収容部と上筐体との隙間をより確実に小さくすることができる。
【０００９】
また、好ましくは、下筐体及び上筐体に外側から装着され、下筐体及び上筐体と光通信装置の光モジュール取付部とを互いに導通させる導通部材を更に備え、スライド力付加手段は、導通部材に設けられている。この場合、導通部材がスライド力付加手段を兼ねるために、光モジュールの部品点数を削減することができる。
【００１０】
また、好ましくは、導通部材は、下筐体及び上筐体と光通信装置の光モジュール取付部との間に挟まれて弾性変形し、弾性変形の反力により、下筐体と上筐体とを互いに押し付けるフィンガー部を有する。この場合、下筐体と上筐体とを互いに押し付ける力が、連結部と、導通部材が装着された部分との二箇所で生じるため、光素子収容部と上筐体との隙間をより小さくすることができる。
【発明の効果】
【００１１】
本発明に係る光モジュールによれば、放射ノイズを十分に抑制することができる。
【図面の簡単な説明】
【００１２】
【図１】本発明に係る光トランシーバの斜視図である。
【図２】図１の光トランシーバの内部を示す斜視図である。
【図３】連結部の部分切欠斜視図である。
【図４】連結部の断面図である。
【図５】導通部材を外した光トランシーバの斜視図である。
【図６】光トランシーバに装着された導通部材の平面図である。
【図７】図６中のＶＩＩ−ＶＩＩ線に沿う断面図である。
【図８】軸部と押圧面とによって生じる分力を説明するための図である。
【図９】フィンガー部の作用を説明するための図である。
【発明を実施するための形態】
【００１３】
以下、本発明に係る光モジュールの好適な実施形態について、図面を参照しながら詳細に説明する。本実施形態では、光モジュールは光トランシーバである。
【００１４】
図1は、本発明に係る光トランシーバ１の斜視図である。光トランシーバ１は、下筐体２と、上筐体３と、導通部材４とを備えている。
【００１５】
下筐体２及び上筐体３は、例えばアルミダイキャストにより形成されている。下筐体２は、光素子収容部５と、光素子収容部５に連設された光コネクタ装着部６と、を有している。以後、前後、上下、及び左右の各方向は、光コネクタ装着部６側を前、上筐体３側を上とした場合の方向を示すものとする。
【００１６】
図２に示されるように、光素子収容部５は、光コネクタ装着部６から後方に延在する底板と（不図示）、左の側板５ａと、右の側板５ｂとを有し、これらの板によって収容空間Ｓ１が形成されている。収容空間Ｓ１の先端側には、一対の光素子７ａ，７ｂが左右に並べて収容されている。収容空間Ｓ１における光素子７ａ，７ｂの後側には、電子回路基板８が収容されている。左右の側板５ａ，５ｂの上端には、光素子７ａ，７ｂ及び電子回路基板８を収容空間Ｓ１内に導入するための開口Ｓ２が形成されている。
【００１７】
上筐体３は、光素子収容部５の平面形状と略同形状の板状部材であり、光素子収容部５の開口Ｓ２を閉塞する。上筐体３の左右端部の下面には、前後方向に沿って一対の凸部３ｂ，３ｂが設けられている。各凸部３ｂ，３ｂは、光素子収容部５の収容空間Ｓ１に収容され、光素子収容部５の左の側板５ａと右の側板５ｂとの間に配置される。これにより、光素子収容部５と上筐体３とが互いに位置決めされる。また、各凸部３ｂ，３ｂによって、光素子収容部５と上筐体３との隙間が内側から遮蔽される。
【００１８】
ここで、光素子７ａは、ＴＯＳＡ（TransmitterOptical Sub-Assembly）であり、光信号を送信する。光素子７ｂは、ＲＯＳＡ（ReceiverOptical Sub-Assembly）であり、光信号を受信する。電子回路基板８は、後側に電気コネクタ部を有し（不図示）、電気コネクタ部での電気信号の入出力と、光素子７ａ，７ｂでの光信号の入出力とを相互に変換する。
【００１９】
図２及び図３に示されるように、左右の側板５ａ，５ｂの後側且つ上側の内面には、内側に突出した軸部９，９がそれぞれ形成されている。上筐体３の後端には、左右の側板５ａ，５ｂに挟まれた状態で軸部９，９に係合する軸受部１０が形成されている。軸受部１０の左右端部には、上方に開口した凹部１１，１１が形成されており、軸部９，９がそれぞれ凹部１１，１１に収容されることで、軸部９，９と軸受部１０とが係合している。
【００２０】
軸受部１０は、軸部９，９により保持され、左右に延びる軸線Ｐ回りに回動自在となっている。このため、上筐体３が軸線Ｐ回りに回動自在となっている。上筐体３が軸線Ｐ回りに上方向に回動されると、光素子収容部５と上筐体３とが離間し、光素子収容部５の開口Ｓ２が開放される。このように、軸部９，９及び軸受部１０により、下筐体２と上筐体３との連結部Ａが構成されている。
【００２１】
図４に示されるように、軸部９の下側には、左右に延びる線を軸とする円弧面９ａが形成されている。一方、軸受部１０の凹部１１の底部の前側には、左右に延びる線を軸とし、軸部９の円弧面９ａの外径と同等以上の内径の円弧面１１ａが形成されている。凹部１１の底部の後側には、後方に向うに従い高くなるように傾斜した傾斜平面１１ｂが形成されている。この凹部１１の円弧面１１ａ及び傾斜平面１１ｂが、軸部９の円弧面９ａに外接することで、軸受部１０が円弧面９ａ回りにスムーズに回動させられるようになっている。また、傾斜平面１１ｂは、後述のように上筐体３と下筐体２とに互いにスライドする方向の力が付加されたときに、軸部９を押圧する押圧面Ｍとして作用する。
【００２２】
図５に示されるように、導通部材４は、下筐体２及び上筐体３に外側から装着される装着部１２と、複数のフィンガー部１３とを有している。
【００２３】
装着部１２は、下筐体２の下面に対向する下板１２ａと、下板１２ａの左右端部から上方に延在し、下筐体２の左右の側面に対向する左右の側板１２ｂ，１２ｃと、左の側板１２ｂの上端部から右方向に延在し、上筐体３の左側の上面に対向する左の上板１２ｄと、右の側板１２ｃの上端部から左方向に延在し、上筐体３の右側の上面に対向する右の上板１２ｅとを有している。各上板１２ｄ，１２ｅには、挿通孔１２ｆが形成されている。各挿通孔１２ｆには、後述のように、上筐体３の上面に形成された凸部３ａが挿通される。また、左の上板１２ｄと右の上板１２ｅとの間には切目Ｂが形成されている。装着部１２は、この切目Ｂから左右に広げられ、下筐体２及び上筐体３に装着される。
【００２４】
下板１２ａ、側板１２ｂ，１２ｃ、及び上板１２ｄ，１２ｅの前端には複数のフィンガー部１３が連設されている。各フィンガー部１３は、下筐体２及び上筐体３の外側に向かって膨らむように曲がりつつ、前方に延在している。装着部１２及び各フィンガー部１３は、例えば銅板から切り出された一枚の板状素材を曲げて一体的に形成されている。
【００２５】
下筐体２の前側の両側面には、装着部１２の左右の側板１２ｂ，１２ｃを収容する溝部２ａが形成されている。この溝部２ａに左右の側板１２ｂ，１２ｃが収容されることで、装着部１２が下筐体２の後側に移動することが規制される。
【００２６】
上筐体３の前側の上面には、一対の凸部３ａ，３ａが左右に並べて形成されている。凸部３ａ，３ａは、それぞれ装着部１２の挿通孔１２ｆ，１２ｆに挿通される。図６及び図７に示されるように、挿通孔１２ｆ，１２ｆの後側には、スライド力付加部１２ｇ，１２ｇが形成されている。スライド力付加部１２ｇ，１２ｇは、凸部３ａ，３ａに当接して弾性変形し、弾性変形の反力Ｆ０によって凸部３ａ，３ａを前方に押圧する。
【００２７】
上述のように、装着部１２が下筐体２の後側に移動することが規制されているため、スライド力付加部１２ｇ，１２ｇによって凸部３ａ，３ａが押圧されると、上筐体３には、下筐体２に対して前方にスライドする方向の力が付加される。一方、下筐体２には、上筐体３に対して後方にスライドする方向の力が付加される。即ち、スライド力付加部１２ｇ，１２ｇによって、下筐体２と上筐体３とに互いにスライドする方向の力が付加される。このように、導通部材４によってスライド力付加手段が兼ねられることで、光トランシーバ１の部品点数が削減されている。
【００２８】
下筐体２に対して前方にスライドする方向の力が上筐体３に付加されると、図８に示されるように、軸受部１０の傾斜平面１１ｂが軸部９の円弧面９ａに当接する。そして、軸部９が傾斜平面１１ｂによって上方且つ前方へ押圧されることで、下筐体２を上方且つ前方へ押し上げる分力Ｆ１が生じる。一方、傾斜平面１１ｂが軸部９によって下方且つ後方へ押圧されることで、上筐体３を下方且つ後方へ押し下げる分力Ｆ２が生じる。即ち、下筐体２及び上筐体３とを互いに押し付ける分力Ｆ１，Ｆ２が生じる。このように、傾斜平面１１ｂは、スライド力付加部１２ｇが付加した力Ｆ０によって軸部９を押圧し、下筐体２と上筐体３とを互いに押し付ける分力Ｆ１，Ｆ２を生じる押圧面Ｍとして作用する。そして、下筐体２と上筐体３とは互いに押し付けられ、光素子収容部５と上筐体３との隙間が小さくなる。従って、光トランシーバ１の放射ノイズを十分に抑制することができる。
【００２９】
また、押圧面Ｍが平面であるため、寸法ばらつきにより、光トランシーバ１の個体ごとに軸部９と軸受部１０との相対位置がばらついても、押圧面Ｍの角度が安定し、下筐体２と上筐体３とを互いに押し付ける分力Ｆ１，Ｆ２が安定する。このため、光素子収容部５と上筐体３との隙間をより確実に小さくすることができる。
【００３０】
このように構成された光トランシーバ１が、図９に示されるように光通信装置の光モジュール取付部１４に取り付けられると、各フィンガー部１３は、下筐体２及び上筐体３と光モジュール取付部１４との間に挟まれて弾性変形し、反発力によって下筐体２又は上筐体３と光モジュール取付部１４とにしっかりと当接する。これにより、下筐体２及び上筐体３と光モジュール取付部１４とが導通する。また、下筐体２の下側で弾性変形したフィンガー部１３は、上方へ向う反力Ｆ３を下筐体２に付加する。上筐体３の上側で弾性変形したフィンガー部１３は、下方へ向う反力Ｆ４を上筐体３に付加する。即ち、導通部材４が装着された部分においても、下筐体２と上筐体３とを互いに押し付ける反力Ｆ３，Ｆ４が生じ、光素子収容部５と上筐体３との隙間をより小さくすることができる。
【００３１】
更に、光素子収容部５と上筐体３との隙間は、上筐体３の各凸部３ｂ，３ｂによって内側から遮蔽されるため、光トランシーバ１の放射ノイズをより十分に抑制することができる。
【００３２】
以上、本発明の好適な実施形態について説明してきたが、本発明は上述した実施形態に限られるものではなく、その要旨を逸脱しない範囲で様々な変更が可能である。
【００３３】
例えば、本実施形態では、下筐体２側に軸部９が連設され、上筐体３側に軸受部１０が連設されているが、上筐体３側に軸部が連設され、下筐体２側に軸受部が連設されていてもよい。
【符号の説明】
【００３４】
１…光トランシーバ、２…下筐体、３…上筐体、４…導通部材、５…光素子収容部、９…軸部、１０…軸受部、１１ｂ…傾斜平面、１２ｇ…スライド力付加部、１３…フィンガー部、１４…光モジュール取付部、Ａ…連結部、Ｍ…押圧面、Ｓ２…開口。
【図１】
0005703983.tif 000002
【図２】
0005703983.tif 000003
【図３】
0005703983.tif 000004
【図４】
0005703983.tif 000005
【図５】
0005703983.tif 000006
【図６】
0005703983.tif 000007
【図７】
0005703983.tif 000008
【図８】
0005703983.tif 000009
【図９】
0005703983.tif 000010